(57)【要約】【課題】安価で、筐体部分の大型化を招くことなく音域を拡大させることができる携帯端末装置を提供する。【解決手段】下側筐体３の後面３０Ｂ側とは逆の操作者の顔面と対向する下側筐体３の前面３０Ａ側に音孔３３を設けるとともに、下側筐体３の前面３０Ａ側の内部に前面が音孔３３に臨むスピーカ４を設け、スピーカ４の背面と下側筐体３内部に設けた基板６との間に、少なくとも一部がキーシート５で仕切られた密閉空間Ｓを設けた。【選択図】  図２
2004320539.tif 000002
【特許請求の範囲】
【請求項１】
筐体に音孔を設けるとともに、
前記筐体の内部に前面が前記音孔に臨む音響装置を設け、
前記音響装置の背面と前記筐体内部に設けた基板との間に、前記筐体内の入力装置の一部を構成するキーシートで密閉空間を設けていることを特徴とした携帯端末装置。
【請求項２】
前記音響装置の背面側に形成された前記密閉空間と、前記キーシートと前記基板との間に構成された前記密閉空間とが一体になっていることを特徴とする請求項１に記載の携帯端末装置。
【請求項３】
前記音響装置の背面に形成された密閉空間で前記音響装置から放音される音を共鳴させるように構成したことを特徴とする請求項２に記載の携帯端末装置。
【発明の詳細な説明】
【０００１】
【発明の属する技術分野】
本発明は、着信を知らせるためにスピーカ等の音響装置を備えた携帯端末装置に関するものである。
【０００２】
【従来の技術】
近年、携帯電話機等の携帯端末装置は年を経るごとにその普及の割合が伸び続けており、これに伴って携帯端末装置を構成する各種技術もめざましく発展している。
特に、従来は着信を知らせるためにブザー等を鳴動させるだけの構造であった音響部分についての技術発展も著しいものがある。
【０００３】
例えば、この音響部分については、最近では、着信を知らせるためのブザー音ではなく各自の好みに応じたメロディで鳴動させるといった機能を付与したり、単なる携帯電話としての機能だけではなく、音楽鑑賞用などの手段として用いたりするといった要求が広がってきている。
【０００４】
こういった要求から、この音響部分では、単音での鳴動に留まらず、複数の音（和音）を同時に鳴動させることができるスピーカ等を搭載させるといったことなどが行われてきている。
【０００５】
次に、従来の一般的な折畳型の携帯端末機器でのスピーカの音孔位置について具体的に説明する。
従来は、例えば図４および図５に示すように、上筐体１０１や下筐体１０２の後面（背面）にスピーカ用の音孔１０３が形成されているが、このような構成では、音孔１０３が使用者の顔（耳）側に配置されていないので、クリアな音を得ることができなかった。
【０００６】
ところが、最近は、携帯端末機器が進化してきており、液晶表示部で表示された相手と会話を楽しむという新しいコミュニケーションツールとしての使用範囲が広がってきている。そこで、例えば上筐体に設けられた液晶表示部に表示された通話相手の顔を見ながら会話を行うために、スピーカ等の音響装置の音孔を液晶表示部が設けてある筐体の内面側に配置するなど、スピーカの音孔位置を以前の後面（背面）とは逆側の前面（向面）に設ける傾向にある（例えば、特許文献１参照。）。
【０００７】
以下、このように内面に音孔位置を設けてある折畳型の携帯端末機器の筐体構造について、図６を参照しながら具体的に説明する。
この携帯端末機器では、筐体部分が上側筐体と下側筐体とをヒンジ部で開閉自在に連結させた構成のものであり、スピーカ１０４の背面から発せられる音は、内面ケース１０２Ａ及び外面ケース１０２Ｂで構成する下側筐体１０２の内部全体を使って共鳴させる構造となっている。なお、同図において、符号１０５はキートップ、１０６はキーシート、１０７は基板を示すものである。
【０００８】
【特許文献１】
特開昭６３−１４９９５１号公報（第２頁右上欄〜左下欄、図１）
【０００９】
【発明が解決しようとする課題】
しかしながら、このような構造のものにあっては、下側筐体の嵌合部分に生じる隙間などから音が漏れだすことが多く、完全な密閉空間を実現することが困難であるため、低音域が再現し難い構造となっている。
【００１０】
そこで、従来は、例えば図７に示すように、スピーカ１０４などの音響装置の背面と基板１０７との間をクッション１０８で密閉したり、図８に示すように完全な密室を形成するために、別部品の共鳴ボックス１０９をスピーカ１０４の背面に設置することなどにより、スピーカ１０４の背面から発せられた音を共鳴させる構造として、低音域を実現させるようになっている。
【００１１】
ところが、このような構造では、十分な大きさの密閉空間を確保することが困難であり、しかも、別部品を設置する場合には、工数の増大とともにハウジングの厚さが拡大するといった不都合を生じている。
【００１２】
そこで、本発明は、上記した事情に鑑み、筐体部分を大型化、特に厚さを厚くさせなくても、音域を拡大させることができる携帯端末装置を安価で提供することを目的とするものである。
【００１３】
【課題を解決するための手段】
本発明の携帯端末装置は、筐体に音孔を設けるとともに、
前記筐体の内部に前面が前記音孔に臨む音響装置を設け、
前記音響装置の背面と前記筐体内部に設けた基板との間に、前記筐体内の入力装置の一部を構成するキーシートで密閉空間を設けていることを特徴としている。
【００１４】
これにより、音響装置の背面と前記基板との間に、密閉空間を構成可能となり別部品を追加することが必要ないため、安価で、低音域を鳴動させるための密閉空間を構成することができる。
【００１５】
また、本発明の携帯端末装置は、前記音響装置の背面側に形成された前記密閉空間と、前記キーシートと前記基板との間に構成された前記密閉空間とが一体になっていることを特徴としている。
【００１６】
これにより、音響装置の背面側に形成された密閉空間が、キーシートと前記基板との間に構成された前記密閉空間をつなげることにより、音響装置の下面により広い密閉空間を造りだすことができ、安価で、より低音域の音を鳴動させることができる。
【００１７】
また、本発明の携帯端末装置は、前記音響装置の背面に形成された密閉空間で前記音響装置から放音される音を共鳴させるように構成したことを特徴としている。
【００１８】
【発明の実施の形態】
以下、この発明に係る一実施の形態について、添付図面を参照しながら詳細に説明する。
図１は、この発明の実施形態に係る折畳式の携帯端末装置１を示すものであり、この折畳式の携帯端末装置１では、表示部２１及び受話部２２などを設けた上側筐体２と、（図示外の入力装置の一部を構成する）操作部３１及びマイク部３２などを設けた下側筐体３とが、ヒンジ部（図略）を介して回動自在に連結されているが、特に下側筐体３には、後述する（音響装置を構成する）スピーカ４（図２参照）が収められている。
【００１９】
即ち、この携帯端末装置１では、図２に示すように、下側筐体３が、大略構成として、内面（以下、これを前面３０Ａとよぶ）側のケース（これを前面側ケース３Ａとよぶ）と外面（これを後面３０Ｂとよぶ）側のケース（これを後面側ケース３Ｂとよぶ）とにより略中空箱状に形成されている。そして、この下側筐体３内部には、前述した入力装置の操作部３１を構成するキースイッチ（図略）とともに、キーシート５、基板６及び前述した音響装置を構成するスピーカ４などが収められている。
【００２０】
一方、前面側ケース３Ａには、キーシート５に支承されたキートップ５０が複数配設されているとともに、使用者の口元に臨む一端部（以下、これを下端部とよぶ）側にはスピーカ４の一面（これを放音面とよぶ）に対向する部分に音孔３３が複数穿設されている。
【００２１】
また、この前面側ケース３Ａには、後述するキーシート５のスピーカ設置孔５３を取り囲むような状態で下側筐体３の内部に向けて突出するリブ３５を設けている。
【００２２】
即ち、このリブ３５は、図２にその一部を示してあるが、所定の形状、例えば略真円形状（または円弧形状）を呈するような状態で下側筐体３の内部に向けて突設されており、このリブ３５で囲設された空間内には、前面３０Ａに前面が臨む（接する）ような状態でスピーカ４が固設されている。
【００２３】
そして、このリブ３５の一部には、段部３５Ａが設けてあり、この段部３５Ａによって後述するキーシート５のリブ５１のうち、特にスピーカ設置孔５３を取り囲む部分のリブ５１Ａを固定保持するようになっており、リブ５１Ａの先端面を基板６にしっかりと押し付けて密着させるようになっている。
【００２４】
他方、後面側ケース３Ｂには、電池室３６を設けており、図示外の電池パックが着脱自在に装着されるようになっている。
【００２５】
スピーカ４は、前面３０Ａと対面するこのスピーカ４の前面とは反対面（以下、これを後面とよぶ）から発せられる音を、下側筐体３内部に設けた後述する密閉空間Ｓの全体を使って共鳴させる構造のものであり、完全な密閉空間Ｓを実現することができるので、下側筐体３の嵌合部分（前面側ケース３Ａと後面側ケース３Ｂとの接合部分）に生じる隙間などから音が漏れだすことがなく、低音域が効果的に再現できるようになっている。
【００２６】
キーシート５は、図２に示すように、クッション等の弾性体（この他に、例えば可撓性材料などでもよい）で形成されており、基板６に対する防水性を考慮してその全周に亙りリブ５１を設けている。即ち、これは、前面側ケース３Ａにおいて、キートップ５０が突出するために設けた孔３４から雨水などが侵入した場合、その雨水などが基板６に到達して基板６が腐食されるといったことを防ぐために設置してあるものである。即ち、このキーシート５に周設するリブ５１により、基板６の一面側の周縁部全体を堤防状に取り囲んで水密構造（或は気密構造）に近い状態となるように構成している。
【００２７】
また、このキーシート５には、図３に示すように、キートップ５０に対応する各部位にキートップを支承支持するための支承部５２を設けていると共に、スピーカ４の設置領域に対応するエリアを確保するために一端部側に真円形状のスピーカ設置孔５３を開口しているが、特に、このスピーカ設置孔５３の周囲にもこれを取り囲むような状態で、リブ５１Ａが形成されている。
【００２８】
このように、キーシート５には、全周に亙ってリブ５１（一部はリブ５１Ａ）が突設されておりこのリブ５１（リブ５１Ａを含む）と基板６とで密閉された、キーシート５の全体に亙る大きな空間（以下、これを密閉空間Ｓとよぶ）が形成されている。
【００２９】
特に、前述したように、前面側ケース３Ａからは下側筐体３の内部に向けてリブ３５を突設することで、キーシート５のスピーカ設置孔５３を囲設するリブ５１Ａの部分を挟み込む構成としており、換言すれば、前面側ケース３Ａのリブ３５と基板６とでキーシート５のリブ５１Ａを挟み込む構成となっている。
【００３０】
また、この前面側ケース３Ａのリブ３５、キーシート５のリブ５１Ａ、基板６の３点でスピーカ室を構成しているが、この前面側ケース３Ａの音孔３３は、スピーカ４の前面で塞がれているので、このスピーカ４の裏面に形成されるスピーカ室の裏面空間Ｓ０を含みこの裏面空間Ｓ０と一体に連通する前述の密閉空間Ｓは、水密構造（或は気密構造）に近い密閉空間Ｓを構成している。
【００３１】
従って、本実施の形態によれば、キーシート５のリブ５１Ａをスピーカ４の周囲にまで設置することにより、スピーカ４の裏面に構成される裏面空間Ｓ０をキーシート５全体及び基板６で構成された大きな密閉空間Ｓと連通させることができ、これによって、これら裏面空間Ｓ０と密閉空間Ｓとは拡大した密閉空間１２を構成することが可能となる。
【００３２】
これにより、スピーカ４の背面から出る音は、図２において、キーシート５の右側領域と基板６との間に設けられた密閉空間Ｓを利用することで、大きく完全な密閉空間を使用して、スピーカ４から放音される音を共鳴させることが可能となり、スピーカ４の正面から低音域の音を流すことが可能になっている。
【００３３】
しかも、本実施の形態によれば、このような構造により、筐体のサイズを大きくすることなく、安価で、より低音域の音を実現させることができる携帯端末装置を提供することができる。
【００３４】
【発明の効果】
以上説明してきたように、本発明では、筐体に音孔を設けるとともに、筐体前面側の内部に前面が音孔に臨む音響装置を設け、音響装置の後面と筐体内部に設けた基板との間に、筐体内の入力装置の一部を構成するキーシートで密閉空間を設けている。
【００３５】
従って、本発明によれば、他に部品を追加することなく、安価で音域の広い音を鳴動させることができるようになるとともに筐体の薄型化が可能となる携帯端末機器を提供することができる。
【図面の簡単な説明】
【図１】本発明の実施の形態に係る携帯端末装置を示す外観斜視図である。
【図２】図１に示す本発明の実施の形態に係る携帯端末装置におけるＩＩ−ＩＩ線断面図である。
【図３】本発明の実施の形態に係る携帯端末装置の下側筐体に収容するキーシートを示す平面図である。
【図４】従来の折畳式の携帯端末装置におけるスピーカ用の音孔の設置部位を示す斜視図である。
【図５】従来の他の折畳式の携帯端末装置におけるスピーカ用の音孔の設置部位を示す斜視図である。
【図６】従来の折畳式の携帯端末装置におけるスピーカの設置構造などを示す斜視図である。
【図７】従来の他の折畳式の携帯端末装置におけるスピーカの設置構造などを示す斜視図である。
【図８】従来のさらに他の折畳式の携帯端末装置におけるスピーカの設置構造などを示す斜視図である。
【符号の説明】
１      携帯端末装置
２      上側筐体
２１    表示部
２２    受話部
３      下側筐体
３Ａ    前面側ケース
３Ｂ    後面側ケース
３０Ａ  前面
３０Ｂ  後面
３１    操作部（入力装置）
３２    マイク部
３３    音孔
３４    孔
３５    リブ
３５Ａ  段部
４      スピーカ（音響装置）
５      キーシート（弾性体）
５１    リブ
５１Ａ  リブ
５３    スピーカ設置孔
６      基板
Ｓ０            裏面空間
Ｓ      密閉空間
【図１】
2004320539.tif 000003
【図２】
2004320539.tif 000004
【図３】
2004320539.tif 000005
【図４】
2004320539.tif 000006
【図５】
2004320539.tif 000007
【図６】
2004320539.tif 000008
【図７】
2004320539.tif 000009
【図８】
2004320539.tif 000010